(57)【要約】【課題】画像全体を認識処理に必要な一律の解像度で読み取る場合と比較して、画像読取処理の処理結果として出力する画像データのデータ量を抑えつつ、画像に対する認識処理に適した画像データを出力する。【解決手段】出力手段１１は、読取対象である原稿の読取結果として、原稿の画像を表す第１の解像度の画像データと、原稿に含まれる領域の画像を表す部分画像データであって第１の解像度よりも高い第２の解像度の部分画像データとを出力する。【選択図】図２
2018152705.tif 000002
【特許請求の範囲】
【請求項１】
読取対象である原稿の読取結果として、該原稿の画像を表す第１の解像度の画像データと、該原稿に含まれる領域の画像を表す部分画像データであって該第１の解像度よりも高い第２の解像度の部分画像データとを出力する出力手段
を有する画像処理装置。
【請求項２】
前記出力手段は、画像読取装置により前記第２の解像度で読み取られた画像データから前記部分画像データを抽出して出力するとともに、前記読み取られた画像データの解像度を前記第２の解像度から前記第１の解像度に変換し、変換された画像データを出力する
請求項１に記載の画像処理装置。
【請求項３】
ユーザによる前記第１の解像度の指定を受け付ける受付手段
を更に有し、
前記出力手段は、前記ユーザにより指定された第１の解像度が前記第２の解像度よりも低い場合、前記画像読取装置により前記第２の解像度で読み取られた画像データから前記部分画像データを抽出して出力するとともに、前記読み取られた画像データの解像度を前記第２の解像度から前記第１の解像度に変換し、変換された画像データを出力する
請求項２に記載の画像処理装置。
【請求項４】
前記部分画像データに対し、文字認識処理および画像認識処理の少なくともいずれかを含む認識処理を行う認識処理手段
を更に有する請求項１乃至３のいずれか１項に記載の画像処理装置。
【請求項５】
前記認識処理手段は、前記認識処理により前記部分画像データから画像データに対する処理を許可または禁止する条件を示す情報である条件情報を取得し、
前記画像データに対し前記条件情報の示す条件に対応する出力制御を行う出力制御手段
を更に有する請求項４に記載の画像処理装置。
【請求項６】
前記出力制御手段は、前記取得された条件情報の示す条件が開示を制限するものである場合、前記画像データの出力を制限する
請求項５に記載の画像処理装置。
【請求項７】
前記出力制御手段は、前記取得された条件情報の示す条件が開示を許可するものである場合、前記画像データの出力を許可する
請求項５に記載の画像処理装置。
【請求項８】
前記出力手段は、前記画像読取装置により前記第２の解像度で読み取られた画像データから前記部分画像データを抽出して出力する処理と、前記読み取られた画像データの解像度を前記第２の解像度から前記第１の解像度に変換する処理とを並行して行う
請求項２に記載の画像処理装置。
【請求項９】
コンピュータに、
読取対象である原稿の読取結果として、該原稿の画像を表す第１の解像度の画像データと、該原稿に含まれる領域の画像を表す部分画像データであって該第１の解像度よりも高い第２の解像度の部分画像データとを出力するステップ
を実行させるためのプログラム。
【発明の詳細な説明】
【技術分野】
【０００１】
本発明は、画像処理装置およびプログラムに関する。
【背景技術】
【０００２】
読み取られた文書画像のセキュリティを確保するための技術が提案されている。例えば、特許文献１には、スキャナが出力するイメージデータの中から文字掲載部分を特定して文字認識処理を行い、認識した文字データを基に文書処理の可否を判断することが記載されている。また、特許文献２にはボックス内の文書に対し、文書画像にＯＣＲをかけてテキストを抽出し、レイアウトあるいはテキスト内容から個人情報の存在を判断し、個人情報が存在すれば文書識別情報とともに警告を通知することが記載されている。また、特許文献３には、画像データのＯＣＲを行い、文字欄の外に社外秘などの文字列が記載されているかに応じて処理制御を行うことが記載されている。
【０００３】
また、文書画像の一部の領域に対して文字認識を行う方法が提案されている。例えば特許文献４には、実際にスキャンした画像と予め設定したＯＣＲ領域の位置ズレに誤認識を補正することが記載されている。特許文献５には、帳票類の画像を電子保存する際にＯＣＲ等を行うことが記載されている。特許文献６には、文字認識位置が定義されたテンプレートを用いて文字認識することが記載されている。
【先行技術文献】
【特許文献】
【０００４】
【特許文献１】特開２００６−２７９５４５号公報
【特許文献２】特開２００７−４８０５３号公報
【特許文献３】特許第６０００８４４号公報
【特許文献４】特開２００８−４０５９８号公報
【特許文献５】特開２００８−２９３３５３号公報
【特許文献６】特開２０１５−１６４０２１号公報
【発明の概要】
【発明が解決しようとする課題】
【０００５】
ところで、読み取られた画像データに対し文字認識などの認識処理を行うためには、画像データの解像度が或る程度高い必要がある。
本発明は、画像全体を認識処理に必要な一律の解像度で読み取る場合と比較して、画像読取処理の処理結果として出力する画像データのデータ量を抑えつつ画像に対する認識処理に適した画像データを出力することを目的とする。
【課題を解決するための手段】
【０００６】
本発明の請求項１に係る画像処理装置は、読取対象である原稿の読取結果として、該原稿の画像を表す第１の解像度の画像データと、該原稿に含まれる領域の画像を表す部分画像データであって該第１の解像度よりも高い第２の解像度の部分画像データとを出力する出力手段を有することを特徴とする。
【０００７】
本発明の請求項２に係る画像処理装置は、請求項１に記載の構成において、前記出力手段は、画像読取装置により前記第２の解像度で読み取られた画像データから前記部分画像データを抽出して出力するとともに、前記読み取られた画像データの解像度を前記第２の解像度から前記第１の解像度に変換し、変換された画像データを出力することを特徴とする。
【０００８】
本発明の請求項３に係る画像処理装置は、請求項２に記載の構成において、ユーザによる前記第１の解像度の指定を受け付ける受付手段を更に有し、前記出力手段は、前記ユーザにより指定された第１の解像度が前記第２の解像度よりも低い場合、前記画像読取装置により前記第２の解像度で読み取られた画像データから前記部分画像データを抽出して出力するとともに、前記読み取られた画像データの解像度を前記第２の解像度から前記第１の解像度に変換し、変換された画像データを出力することを特徴とする。
【０００９】
本発明の請求項４に係る画像処理装置は、請求項１乃至３のいずれか１項に記載の構成において、前記部分画像データに対し、文字認識処理および画像認識処理の少なくともいずれかを含む認識処理を行う認識処理手段を更に有することを特徴とする。
【００１０】
本発明の請求項５に係る画像処理装置は、請求項４に記載の構成において、前記認識処理手段は、前記認識処理により前記部分画像データから画像データに対する処理を許可または禁止する条件を示す情報である条件情報を取得し、前記画像データに対し前記条件情報の示す条件に対応する出力制御を行う出力制御手段を更に有することを特徴とする。
【００１１】
本発明の請求項６に係る画像処理装置は、請求項５に記載の構成において、前記出力制御手段は、前記取得された条件情報の示す条件が開示を制限するものである場合、前記画像データの出力を制限することを特徴とする。
【００１２】
本発明の請求項７に係る画像処理装置は、請求項５に記載の構成において、前記出力制御手段は、前記取得された条件情報の示す条件が開示を許可するものである場合、前記画像データの出力を許可することを特徴とする。
【００１３】
本発明の請求項８に係る画像処理装置は、請求項２に記載の構成において、前記出力手段は、前記画像読取装置により前記第２の解像度で読み取られた画像データから前記部分画像データを抽出して出力する処理と、前記読み取られた画像データの解像度を前記第２の解像度から前記第１の解像度に変換する処理とを並行して行うことを特徴とする。
【００１４】
本発明の請求項９に係るプログラムは、コンピュータに、読取対象である原稿の読取結果として、該原稿の画像を表す第１の解像度の画像データと、該原稿に含まれる領域の画像を表す部分画像データであって該第１の解像度よりも高い第２の解像度の部分画像データとを出力するステップを実行させるためのプログラムであることを特徴とする。
【発明の効果】
【００１５】
請求項１および９に係る発明によれば、画像読取処理の処理結果として出力する画像データのデータ量を抑えつつ、画像に対する認識処理に適した解像度の画像データを出力することができる。
請求項２に係る発明によれば、画像読取処理の処理結果として出力する画像データのデータ量を抑えつつ、画像に対する認識処理に適した画像データを出力することができる。
請求項３に係る発明によれば、ユーザにより指定された解像度が画像に対する認識処理に適した解像度よりも低い場合であっても、画像読取処理の処理結果として出力する画像データのデータ量を抑えつつ画像に対する認識処理に適した解像度の画像データを出力することができる。
請求項４に係る発明によれば、画像データのデータ量を抑えつつ、文字認識処理および画像認識処理の少なくともいずれかを含む認識処理に適した解像度の画像データを出力することができる。
請求項５に係る発明によれば、出力される画像データのデータ量を抑えつつ、画像に含まれる認識情報に応じた出力制御を行うことができる。
請求項６に係る発明によれば、出力される画像データのデータ量を抑えつつ、画像に含まれる条件情報に沿った出力制限を行うことができる。
請求項７に係る発明によれば、出力される画像データのデータ量を抑えつつ、画像に含まれる条件情報に沿った出力許可を行うことができる。
請求項８に係る発明によれば、認識処理と出力処理とが並行して実行されない場合に比べて、処理時間を短縮することができる。
【図面の簡単な説明】
【００１６】
【図１】システムの構成を示す図
【図２】画像処理装置の機能構成を示す図
【図３】画像処理装置のハードウェア構成を示す図
【図４】原稿の一例を示す図
【図５】ＵＩ部に表示される画面の一例を示す図
【図６】画像処理装置が行う処理の流れを示すフローチャート
【図７】プロセッサが行う処理の流れを示すフローチャート
【図８】開示条件の一例を示す図
【図９】ＵＩ部に表示される画面の一例を示す図
【図１０】出力される画像の一例を示す図
【図１１】開示条件の一例を示す図
【図１２】ＵＩ部に表示される画面の一例を示す図
【図１３】出力される画像の一例を示す図
【発明を実施するための形態】
【００１７】
［１］構成
図１は、本実施形態に係るシステム１の構成を示すブロック図である。システム１は画像処理装置１０とサーバ２０とを備える。画像処理装置１０は、媒体に画像を形成する画像形成処理や、媒体に形成された画像を読み取る画像読取処理などの画像処理を行う。画像処理装置１０は通信回線２によりサーバ２０に接続されている。通信回線２は、例えばインターネットや移動体通信網、電話回線、ＬＡＮ（local Area Network）などのうちの少なくとも１つを含む。サーバ２０はストレージサービスなどの各種サービスを提供する。
【００１８】
図２は画像処理装置１０の機能構成の一例を示すブロック図である。画像処理装置１０は、出力手段１１と、認識処理手段１２と、出力制御手段１３と、前処理手段１４と、受付手段１５とを有する。出力手段１１は、読取対象である原稿の読取結果として、該原稿の画像を表す第１の解像度の画像データと、該原稿に含まれる領域の画像を表す部分画像データであって第１の解像度よりも高い第２の解像度の部分画像データとを出力する。
【００１９】
この実施形態において、出力手段１１による画像データおよび／または部分画像データの出力には、画像処理装置１０の外部の装置（例えばサーバ２０、外部記憶装置、など）への出力が含まれるとともに、装置内部のメモリへの出力が含まれる。
【００２０】
認識処理手段１２は、部分画像データに対し、文字認識処理および画像認識処理の少なくともいずれかを含む認識処理を行う。この実施形態において、画像認識処理は、画像を解析して画像に含まれる対象物の形状や属性を、パターン照合などを行うことにより認識する処理である。画像認識処理は、例えば、２次元バーコードの読取処理、顔認識処理、顔認証処理である。出力制御手段１３は、認識処理手段１２による認識処理により取得された条件情報に対応する出力制御を行う。前処理手段１４は、部分画像データに対し、エッジ強調処理、単色への色変換処理、２値化処理、白エリア検知処理および白エリア除去処理の少なくともいずれかひとつを含む前処理を施す。この実施形態において、白エリアは、白色等の単色の領域（すなわち、文字や画像が含まれない背景領域）である。受付手段１５は、ユーザによる第１の解像度の指定を受け付ける。
【００２１】
図３は画像処理装置１０のハードウェア構成を例示する図である。図において、メモリ１５１は各種データを記憶する。プロセッサ１５２はメモリ１５１に記憶されているプログラムに従いデータ処理を行う。通信ＩＦ１５３は外部の装置とネットワークを介したデータ通信を行うインターフェイスである。ＵＩ部１５４は例えばタッチスクリーンとキーとを備える。画像形成部１５５は電子写真方式で用紙などの媒体に画像を形成する。画像読取部１５６（画像読取装置の一例）は原稿（媒体）の画像を光学的に読み取る。画像処理部１５７は、例えばＤＳＰ（Digital Signal Processor）やＧＰＵ（Graphics Processing Unit）を備え、各種の画像処理を実行する。給紙部１５８は画像形成部１５５に用紙などの媒体を供給する。
【００２２】
この例で、メモリ１５１に記憶されているプログラムをプロセッサ１５２または画像処理部１５７が実行することにより、図２に示される機能が実装される。プログラムを実行しているプロセッサ１５２または画像処理部１５７は、出力手段１１、認識処理手段１２、出力制御手段１３、前処理手段１４および受付手段１５の例である。
【００２３】
［２］動作
まず、ユーザは、ＵＩ部１５４を用いて自身に割り当てられたユーザＩＤを入力するとともに、画像読取処理を指示する操作を行う。この指示において、読取処理に係る解像度や、出力先（例えば、ストレージサーバ）がユーザにより指定されてもよい。ＵＩ部１５４は操作された内容に応じた情報を出力し、プロセッサ１５２は、ユーザＩＤを例えばサーバ２０に問い合わせるなどしてユーザ認証を行う。サーバ２０は予め記憶されたユーザ管理データベースにユーザＩＤが登録されているかに応じてユーザ認証を行い、結果を画像処理装置１０に通知する。認証に成功した場合、プロセッサ１５２はＵＩ部１５４から出力された情報に従って画像読取処理を開始する。まず、プロセッサ１５２は、原稿において開示条件の配置を指定するための画面をＵＩ部１５４に表示する。なお、ユーザ認証に失敗した場合、画像処理装置１０はその旨を示すメッセージをＵＩ部１５４に表示してもよい。
【００２４】
図４は、画像読取の対象となる原稿の一例を示す図である。図４の原稿の例では、領域Ａ１に開示条件が記されている。この実施形態において、開示条件は、原稿に画像形成されている文書（以下、単に「文書」という）の開示を制限する情報である。開示条件は、例えば開示レベル、開示範囲、指定期間、作成日が用いられる。図４の例では、開示条件として「開示範囲：営業部」、「指定期間：２年間」、「作成責任者：富士太郎」、「作成日：２０１６．１１．１１」が記されている。
【００２５】
図５は、ＵＩ部１５４に表示される画面Ｓ１の一例を示す図である。画面Ｓ１には、スキャンされる媒体における開示条件の位置をユーザが指定するための画面が表示される。図５の画面Ｓ１には、例えば、「開示条件が配置されている位置を指定してください」といったメッセージが表示されてもよい。
【００２６】
ユーザは、原稿に開示条件が含まれている場合、その開示条件の位置（領域）を指定する操作を行う。図５の例では、開示条件が記されている位置として、ユーザが原稿の四隅を指定した例が示されている。なお、ユーザによって指定される領域の数は、１つであってもよく、複数であってもよい。ユーザによって位置が指定されると、プロセッサ１５２は、指定された位置を示す情報（以下「配置情報」という）をメモリ１５１に記憶させる。
【００２７】
図６は画像処理装置１０が行う処理の流れを示すフローチャートである。ステップＳ１０１において、プロセッサ１５２は、画像読取部１５６に画像の読取を指示する。画像読取部１５６は、プロセッサ１５２の指示に従って原稿の画像を読み取る。
【００２８】
このとき、画像読取部１５６は、ユーザによって指定された解像度が、予め定められた解像度（例えば、４００dpi）よりも低い場合、ユーザによって指定された解像度（第１の解像度）ではなく、予め定められた解像度（第２の解像度）で画像読取を行って画像データを生成する。例えば、予め定められた解像度が４００dpiであり、ユーザが解像度を２００dpiと指定した場合、画像読取部１５６は、４００dpiで画像読取を行う。一方、ユーザによって指定された解像度が予め定められた解像度以上である場合、画像読取部１５６は、ユーザによって指定された解像度で画像読取を行い、指定された解像度の画像データを生成する。
【００２９】
この実施形態において、予め定められた解像度（第２の解像度）は、後述する認識処理（文字認識処理など）において許容される解像度（認識処理において認識が成功すると想定される解像度）（例えば４００dpi）である。
【００３０】
ステップＳ１０２において、画像処理部１５７は、画像読取部１５６によって生成された画像データに対し、例えば傾き補正、シェーディング補正などの補正処理を行う。ステップＳ１０３において、画像処理部１５７は、画像データに対し各種のフィルタ処理を施す。なお、これらの補正処理やフィルタ処理は既存の画像処理装置で行われる処理である。
【００３１】
ステップＳ１０４において、画像処理部１５７は、ユーザにより指定された配置情報の示す領域を抽出し、抽出した領域の画像を表す部分画像データを生成する。この処理により、ユーザにより開示条件の領域として指定された領域の部分画像データが抽出される。以下の説明では、説明の便宜上、ユーザにより指定された領域の画像を表すデータを「部分画像データ」と呼ぶ。また、読み取られた原稿全体の画像を表すデータを「画像データ」と呼ぶ。
【００３２】
画像処理部１５７は、抽出された部分画像データに対し前処理（ステップＳ１０５乃至Ｓ１０７の処理）を施す。この実施形態において、前処理とは、後述する認識処理の認識精度を上げるための処理であり、例えば、エッジ強調処理、色変換処理、２値化処理、白エリア検知処理、白エリア除去処理を含む。まず、ステップＳ１０５において、画像処理部１５７は、部分画像データに対しエッジ強調処理を施す。また、画像処理部１５７は、画像読取部１５６の画像読取により得られたＲＧＢ色空間の画像データを予め定められたルックアップテーブル（ＬＵＴ）を用いて均等色空間の１つであるＬ＊ａ＊ｂ空間の画像データに変換する色変換処理を行う。次いで、ステップＳ１０６において、画像処理部１５７は、部分画像データに対し２値化処理を行う。
【００３３】
ステップＳ１０７において、画像処理部１５７は、部分画像データに対し、白エリアの検知処理および除去処理を行う。この実施形態では、白エリアは文字認識の際に不要なエリアとなるため、除去される。ステップＳ１０８において、画像処理部１５７は、白エリアの除去処理が施された部分画像データをメモリ１５１に出力（記憶）する。このように、この実施形態では、配置情報により指定された領域の部分画像データに対し、文字領域に適した画像処理（ステップＳ１０５乃至Ｓ１０７の処理）が施され、画像処理が施された部分画像データがメモリ１５１に格納される。
【００３４】
メモリ１５１に格納された部分画像データは、プロセッサ１５２が認識処理を行う際に用いられる。この実施形態において、認識処理は、文字や画像（例えば、２次元バーコード）などを認識する処理であり、例えば文字認識処理および画像認識処理の少なくともいずれかを含む。
【００３５】
図７は、プロセッサ１５２が行う処理の流れを示すフローチャートである。ステップＳ２０１において、プロセッサ１５２は、メモリ１５１に格納された部分画像データに対して認識処理を施し、部分画像データから条件情報を取得する。この例で、プロセッサ１５２は、部分画像データに対しＯＣＲなどの文字認識処理を施し、部分画像データから条件情報を取得する。
【００３６】
この実施形態において、条件情報は、画像データの処理を許可または禁止する条件を示す情報である。条件情報は、例えば、画像データが表す文書の開示条件（開示レベル、開示範囲、指定期間、作成日、など）を示す情報や、出力先のデバイスやメモリを示す情報、出力タイミングを示す情報を含む。なお、プロセッサ１５２による図７のステップＳ２０１の処理と、画像処理部１５７によるステップＳ１０９乃至Ｓ１１２の処理とは並列に実行される。
【００３７】
図６の説明に戻る。画像処理部１５７は、部分画像データに対し上述したステップＳ１０５乃至Ｓ１０８の処理を施すとともに、原稿の画像を表す画像データに対しステップＳ１０９乃至Ｓ１１２の処理を施す。なお、ステップＳ１０５乃至Ｓ１０８の一連の処理と、ステップＳ１０９乃至Ｓ１１２の一連の処理とは、並列に実行されてもよい。
【００３８】
ステップＳ１０９において、画像処理部１５７は、画像データの解像度を、第２の解像度（例えば、４００dpi）から第１の解像度（例えば、２００dpi）に変換する。ステップＳ１１０において、画像処理部１５７は、解像度が変換された画像データ（ＲＧＢ色空間の画像データ）を予め定められたルックアップテーブル（ＬＵＴ）を用いて均等色空間の１つであるＬ＊ａ＊ｂ空間の画像データに変換する。ステップＳ１１１において、画像処理部１５７は、画像データを圧縮する。ステップＳ１１２において、画像処理部１５７は、圧縮した画像データをメモリ１５１に出力（記憶）する。これにより、メモリ１５１には、第１の解像度（例えば２００dpi）の画像データが記憶される。
【００３９】
一方、プロセッサ１５２は、図７のステップＳ２０２において、メモリ１５１に記憶された画像データに対し、取得された条件情報に対応する出力制御を行う。具体的には、この実施形態では、プロセッサ１５２は、部分画像データから開示条件を表す開示条件情報を取得し、取得された開示条件情報の示す条件が文書の開示を制限するものである場合、画像データの出力を制限する。一方、取得された開示条件情報の示す条件が開示を許可するものである場合、プロセッサ１５２は画像データの出力を許可する。
【００４０】
この実施形態では、プロセッサ１５２は、開示レベル、開示範囲、ユーザＩＤ、デバイス情報、指定期間、作成日、スキャンした日時などの開示条件に従って画像データの出力制御を行う。この出力制御においては、予め定められたデータベースが参照されてもよい。このデータベースは、サーバ２０に設けられていてもよい。
【００４１】
図８は、開示条件の一例を示す図である。図８の例では、原稿に記された開示レベルが「Internal Use Only」であり、開示範囲が「営業部」である場合が示されている。また、この例では、ユーザＩＤにより識別されるユーザが○○部の所属でなく、画像処理装置１０の設置場所が○○部でないものとする。この場合、プロセッサ１５２は、ユーザにより入力されたユーザＩＤにより識別されるユーザが、「営業部」に属しているかをサーバ２０に問い合わせる。サーバ２０は、画像処理装置１０から受信される情報に従って、ユーザＩＤにより識別されるユーザが「営業部」に属しているかを、予め定められたユーザ管理データベースを検索して判定する。そのユーザが「営業部」に属している場合、開示が許可されていると判定される。一方、そのユーザが「営業部」に属していない場合、開示が禁止されていると判定される。サーバ２０は判定結果を画像処理装置１０に通知する。
【００４２】
画像処理装置１０のプロセッサ１５２は、サーバ２０から受信されるデータに従って、原稿の開示が許可されているかを判定する。許可されていると判定された場合、プロセッサ１５２は、メモリ１５１に記憶された画像データを、ユーザにより指定された出力先（例えば、ストレージサーバ）または予め定められた出力先に出力する処理を行う。一方、開示が許可されていないと判定された場合、プロセッサ１５２は、その旨を示すメッセージをＵＩ部１５４に表示させたり、その旨を示すメッセージを媒体に形成する画像形成処理を行ったりして、その旨を示す情報を出力する。
【００４３】
図９は、ＵＩ部１５４に表示される画面の一例を示す図であり、図１０は、メッセージが画像形成された媒体の一例を示す図である。図９の例では、「スキャン禁止  開示範囲外です」というメッセージがＵＩ部１５４に表示される。図１０の例では、「スキャン禁止  開示範囲外です」というメッセージが媒体に画像形成される。媒体に形成される画像は、図１０に例示されるように、メモリ１５１に記憶された画像データにグレースケールの矩形画像が重畳された画像であってもよい。
【００４４】
図１１は、開示条件の他の例を示す図である。図１１の例では、原稿に記された指定期間が「２年間」であり、取得された作成日が「２０１６．１１．１１」である場合が記されている。また、この例では、画像読取が指示された日時が開示期限を過ぎている場合を想定する。この場合、まず、プロセッサ１５２は、現在の日時が作成日から２年以上経過しているかを判定する。２年以上経過している場合、開示期限が過ぎていると判定される。一方、経過していない場合、開示期限が過ぎていないと判定される。
【００４５】
プロセッサ１５２は、開示期限が過ぎていないと判定された場合、メモリ１５１に記憶された開示データを、ユーザにより指定された出力先（例えば、ストレージサーバ）または予め定められた出力先に出力する処理を行う。一方、開示期限が過ぎていると判定された場合、プロセッサ１５２は、その旨を示すメッセージをＵＩ部１５４に表示させたり、その旨を示すメッセージを媒体に形成する画像形成処理を行ったりして、その旨を示す情報を出力する。
【００４６】
図１２は、ＵＩ部１５４に表示される画面の一例を示す図であり、図１３は、メッセージが画像形成された媒体の一例を示す図である。図１２の例では、「スキャン禁止  開示期限を過ぎています」というメッセージがＵＩ部１５４に表示される。図１３の例では、「スキャン禁止  開示期限を過ぎています」というメッセージが媒体に画像形成される。ユーザは、ＵＩ部１５４に表示される画面や、媒体に形成された画像を確認することで、自身が画像読取を指示した文書の開示が制限されていることを把握する。
【００４７】
ところで、一般に、ＯＣＲなどの文字認識処理を行うためには、対象となる画像データの解像度が３００〜４００dpiであることが好ましい。特に、開示レベル、開示範囲などの開示条件を示す文字は小さいフォントで記されていることが多く、これらの文字列を認識して開示の可否を判定するためには、ある程度高い解像度（例えば４００dpi以上）のものが必要となる。しかし、一般に、画像読取処理においては、ファイルサイズなどが考慮され、１５０〜２００dpiの画像データが生成される場合がある。また、ユーザによって読取画像の解像度が設定されることにより、文字認識に適した解像度の画像データとならない場合がある。
【００４８】
また、社内文書などの原稿は、予め定められたテンプレートで作成される場合があり、開示範囲などの開示条件が記される位置はテンプレート毎に定まっている。この実施形態では、ユーザによって開示条件が記されていると指定された領域の部分画像データを、認識処理に適した解像度（第２の解像度）でメモリ１５１に格納し、原稿全体の画像を表す画像データは、第２の解像度よりも低い第１の解像度でメモリ１５１に格納する。これにより、原稿全体を第２の解像度で読み取った画像データをメモリ１５１に格納する場合に比べて、画像読取の読取結果である画像データのデータ量が小さくなる。また、認識処理の処理対象とする領域が一部分になるため、認識処理および認識結果を用いた出力制御処理に係る時間が短縮される。
【００４９】
［３］変形例
上述した実施形態は、本発明の実施の一例に過ぎず、以下のように変形させてもよい。また、上述した実施形態および以下に示す各変形例は、必要に応じて組み合わせて実施してもよい。
【００５０】
（１）上述の実施形態では、プロセッサ１５２は、部分画像データに対して文字認識処理を行ったが、部分画像データに対して施される認識処理は、文字認識処理に限られない。例えば、プロセッサ１５２は、２次元バーコードを読み取る認識処理を行ってもよい。この場合も、認識処理に先立って部分画像データに対してエッジ強調処理などの前処理が施されることにより、認識処理における認識の精度が向上する。
【００５１】
（２）上述の実施形態では、プロセッサ１５２は、ユーザによって指定された領域の画像から認識処理により開示条件を取得し、取得された開示条件に対応する出力制御を行った。出力制御の方法は上述した実施形態で示されたものに限られない。例えば、プロセッサ１５２は、認識処理により出力先を制限する条件情報を取得し、取得した条件情報によって特定される出力先に画像データを出力してもよい。
【００５２】
（３）上述の実施形態では、プロセッサ１５２による認識処理と、画像処理部１５７による図６のステップＳ１０９乃至Ｓ１１２の処理とが並行して実行されたが、これらの処理が並行して実行されなくてもよい。また、上述の実施形態では、認識処理を実行するプロセッサ１５２と異なるプロセッサ（画像処理部１５７）が図６のステップＳ１０９乃至Ｓ１１２の処理を実行したが、ひとつのプロセッサがこれらの処理を実行する構成であってもよい。
【００５３】
（４）上述の実施形態では、認識処理に先立って、部分画像データに対しエッジ強調処理などの前処理が施されたが、前処理が施されなくてもよい。また、前処理は上述した実施形態で示したものに限られない。認識処理の精度を高くするための他の処理が施されてもよい。
【００５４】
（５）上述の実施形態では、開示条件が記された領域をユーザがＵＩ部１５４を用いて指定したが、領域を特定する方法は上述した実施形態で示されたものに限られない。例えば、認識処理の対象として抽出する領域が予め定められていてもよい。また、セキュリティの管理者または管理部門の担当者等によって開示条件の位置の指定が予め行われ、指定された位置を示す情報が配置情報として用いられてもよい。
【００５５】
（６）上述の実施形態において、画像データの出力が許可されていないと判定された場合に、プロセッサ１５２が、その旨を示す情報を出力するとともに、読み取られた原稿の作成責任者に対応する連絡先に、原稿が読み取られた旨を示す情報を送信してもよい。この場合、例えば、開示範囲として読み取られた情報が「営業部」である場合、プロセッサ１５２が、「営業部」の担当者として予め登録されているユーザのメールアドレスを用いて電子メールを送信してもよい。
【００５６】
（７）上述の実施形態では、図６に示される各処理を画像処理部１５７が実行し、図７に示される各処理をプロセッサ１５２が実行した。各処理を実行する主体は、上述した実施形態で示したものに限られない。例えば、図６の各処理および図７の各処理を、画像処理部１５７が実行してもよい。
【００５７】
（８）上述した実施形態において、画像処理装置１０のプロセッサ１５２または画像処理部１５７により実行されるプログラムは、インターネットなどの通信回線を介してダウンロードされてもよい。また、これらのプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００５８】
１…システム、２…通信回線、１０…画像処理装置、１１…出力手段、１２…認識処理手段、１３…出力制御手段、１４…前処理手段、１５…受付手段、２０…サーバ。
【図１】
2018152705.tif 000003
【図２】
2018152705.tif 000004
【図３】
2018152705.tif 000005
【図４】
2018152705.tif 000006
【図５】
2018152705.tif 000007
【図６】
2018152705.tif 000008
【図７】
2018152705.tif 000009
【図８】
2018152705.tif 000010
【図９】
2018152705.tif 000011
【図１０】
2018152705.tif 000012
【図１１】
2018152705.tif 000013
【図１２】
2018152705.tif 000014
【図１３】
2018152705.tif 000015